(57)【特許請求の範囲】
【請求項１】
地山に下孔を削孔してから、前記下孔より小径の本削孔を施すとともに、その本削孔内に補強管を打設する地山補強工法において、
前記補強管の先端に取り付けた下孔削孔用ビットで前記下孔を削孔し、前記補強管を地山に残さずに、前記下孔削孔用ビットと共に地山から引き抜くことを特徴とする地山補強工法における下孔削孔方法。
【請求項２】
地山に下孔を削孔してから、前記下孔より小径の本削孔を施すとともに、その本削孔内に補強管を打設する地山補強工法において、
前記補強管の先端に取り付けた下孔削孔用ビットとして、削孔ロッドの先端に備えたセンター削孔ビットを通す中心穴を有する先行下孔削孔用リングビットを用いて前記下孔を削孔することを特徴とする地山補強工法における下孔削孔方法。
【請求項３】
請求項１または２に記載の地山補強工法における下孔削孔方法を先行して行った後、
前記補強管先端の前記下孔削孔用ビットを取り外してから、前記下孔削孔用ビットより小径の本削孔用ビットを前記補強管先端に取り付けて、
前記本削孔用ビットで前記本削孔を施すとともに、前記本削孔内に補強管を打設することを特徴とする地山補強工法。
【請求項４】
前記本削孔用ビットとして、前記センター削孔ビットを通す中心穴を有する本削孔用リングビットを用いて前記本削孔することを特徴とする請求項３に記載の地山補強工法。
【発明の詳細な説明】
【技術分野】
【０００１】
本発明は、地山補強工法における下孔削孔方法と、その下孔削孔方法を用いる地山補強工法に関する。
【背景技術】
【０００２】
山岳トンネル工事に適用される長尺先受工法などの補強管を用いた地山補強工法において、長尺先受工法などで行われる薬液注入では、補強管の口元と地山との間から注入材がリークし、注入効果が損なわれ、適正な地山改良効果が得られないことがあるため、口元部を補強管より若干大径のビットで下孔を掘削し、補強管と下孔の間をシーリングして注入材のリークを防いでいた。
従来の下孔削孔では、下孔の芯と補強管の芯が一致せず、下孔と補強管の芯にずれが生じ、補強管の口元周りのシーリングが困難となることがあった。
このため、特許文献１では、下孔削孔用の専用ビットを用いて下孔を削孔した後、補強管と補強管削孔用ビットを改めてセットして補強管の削孔を行っていた。
【先行技術文献】
【特許文献】
【０００３】
【特許文献１】特開２００６−３３６２８２号公報
【発明の概要】
【発明が解決しようとする課題】
【０００４】
しかしながら、特許文献１の下孔削孔では、次のような問題があった。 
１．下孔削孔箇所への削孔は以下の理由により正確な位置へ下孔を削孔することが困難であった。
すなわち、支保工などの障害物により、ガイドセルを削孔箇所の直近まで移動することが難しく、離れた所から削孔することが多く、削孔ビットや削孔ロッドの自重により垂れ下がってしまう。
また、表面に凹凸がある削孔面では、削孔ロッドの剛性が足りず、削孔ロッドがしなり、削孔ビットが逃げてしまう。
２．下孔の削孔終了後にビットの交換、及び補強管の設置を行うために、ドリルジャンボのブームを動かしてしまうことから、下孔削孔と補強管削孔の芯を一致させることが難しく、下孔の削孔から補強管の削孔までに多くの時間を要した。
３．下孔削孔用ビットでは、補強管用のガイド孔が削孔されるものの、ガイド孔の長さが短いため、正確な削孔方向に補強管の削孔を行うことが困難であった。
【０００５】
本発明の課題は、下孔の位置を精度よく削孔できるとともに、補強管の削孔方向を精度よく削孔できて、作業時間を短縮できる下孔削孔方法を提供することである。
【課題を解決するための手段】
【０００６】
以上の課題を解決するため、請求項１に記載の発明は、
地山に下孔を削孔してから、前記下孔より小径の本削孔を施すとともに、その本削孔内に補強管を打設する地山補強工法において、
前記補強管の先端に取り付けた下孔削孔用ビットで前記下孔を削孔し、前記補強管を地山に残さずに、前記下孔削孔用ビットと共に地山から引き抜くことを特徴とする。
【０００７】
請求項２に記載の発明は、
地山に下孔を削孔してから、前記下孔より小径の本削孔を施すとともに、その本削孔内に補強管を打設する地山補強工法において、
前記補強管の先端に取り付けた下孔削孔用ビットとして、削孔ロッドの先端に備えたセンター削孔ビットを通す中心穴を有する先行下孔削孔用リングビットを用いて前記下孔を削孔することを特徴とする。
【０００８】
請求項３に記載の発明は、
請求項１または２に記載の地山補強工法における下孔削孔方法を先行して行った後、
前記補強管先端の前記下孔削孔用ビットを取り外してから、前記下孔削孔用ビットより小径の本削孔用ビットを前記補強管先端に取り付けて、
前記本削孔用ビットで前記本削孔を施すとともに、前記本削孔内に補強管を打設する地山補強工法を特徴とする。
【０００９】
請求項４に記載の発明は、
請求項３に記載の地山補強工法であって、
前記本削孔用ビットとして、前記センター削孔ビットを通す中心穴を有する本削孔用リングビットを用いて前記本削孔することを特徴とする。
【発明の効果】
【００１０】
本発明によれば、下孔の位置を精度よく削孔できるとともに、補強管の削孔方向を精度よく削孔できて、作業時間を短縮することができる。
【図面の簡単な説明】
【００１１】
【図１】本発明を適用した下孔削孔装置の一実施形態の構成を示す概略側面図である。
【図２】図１の削孔ロッド、補強管及び先行下孔削孔用ビットによる下孔削孔状態を示す図（ａ）と、その補強管を下孔から引き抜いて先行下孔削孔用ビット及び本削孔用ビットの交換を示した図（ｂ）と、その本削孔用ビットを補強管に取り付けた本削孔状態の図（ｃ）と、その本削孔後の状態の図（ｄ）である。
【図３】本削孔用ビットと補強管の接続構造を示した概略断面図である。
【図４】センター削孔ビットと本削孔用リングビットとケーシングシューの分解斜視図である。
【図５】図４のセンター削孔ビットを側方から見た図である。
【図６】図４の本削孔用リングビットを下方から見た図である。
【図７】センター削孔ビットの斜視図（ａ）と、そのセンター削孔ビットを組み付けた先行下孔削孔用リングビットの図（ｂ）である。
【図８】先行下孔削孔用リングビットの正面図（ａ）と、本削孔用リングビットの正面図（ｂ）である。
【図９】補強管に先行下孔削孔用リングビットを取り付けた状態の斜視図である。
【図１０】補強管に本削孔用リングビットを取り付けた状態の斜視図である。
【発明を実施するための形態】
【００１２】
以下、図を参照して本発明を実施するための形態を詳細に説明する。
（実施形態）
図１は本発明を適用した下孔削孔装置の一実施形態の概略構成を示すもので、１はガイドセル、２は削孔機、３は削孔ロッド、４はセンター削孔用リングビット、５は補強管、６は先行下孔削孔用リングビットである。
【００１３】
図示しない削孔機械（主にドリルジャンボ）のブームに備えられるガイドセル１上には、図示のように、削孔機２がスライド動作可能に組み付けられ、削孔機２から突出する削孔ロッド３の先端にセンター削孔ビット４が取り外し可能に備えられている。センター削孔ビット４は、削孔機２の駆動による削孔ロッド３の回転及び打撃により地山を削孔する。
【００１４】
そして、削孔ロッド３は、鋼管による補強管５の内部を貫通していて、補強管５の先端に先行下孔削孔用リングビット６が、ケーシングシュー８を介した接続により着脱可能に取り付けられている。この先行下孔削孔用リングビット６の中央穴からセンター削孔ビット４が僅かに突出している。
なお、補強管５の外径は、例えば１４０ｍｍ程度で、先行下孔削孔用リングビット６の外径は、例えば１７０ｍｍ程度である。
【００１５】
図２（ａ）は削孔ロッド３、補強管５及び先行下孔削孔用リングビット６による下孔削孔状態を示したもので、その下孔削孔後において、図２（ｂ）に示すように、下孔から引き抜いた補強管５の先端に対し先行下孔削孔用リングビット６と本削孔用リングビット７が、ケーシングシュー８を介した接続により着脱可能となっている。
【００１６】
従って、図２（ｃ）に示すように、補強管５の先端に本削孔用リングビット７を、ケーシングシュー８を介した接続により取り付けることができる。この本削孔用リングビット７の中央穴からセンター削孔ビット４が僅かに突出して本削孔が行われる。
なお、本削孔用リングビット７の外形は、例えば１４６ｍｍ程度である。
【００１７】
図２（ｄ）に本削孔後の状態を示す。
【００１８】
図３は本削孔用リングビット７と補強管５の接続構造を示したもので、図示のように、補強管５に対しケーシングシュー８が、補強管５の先端内周のネジ５ａにケーシングシューの後端外周のネジ８ａを締め込んで結合される。
そして、ケーシングシュー８に対し本削孔用リングビット７は、ケーシングシュー８の先端内周のネジ８ｂに本削孔用リングビット７の後端外周のネジ７ｂをねじ込んでから、そのネジ８ｂにネジ７ｂが通過させて、ケーシングシュー８に対し本削孔用リングビット７が自由に回転できる接続状態になっている。
【００１９】
さらに、センター削孔ビット４とケーシングシュー８とに、フィード伝達部４ｃ・８ｃが設けられている。
また、センター削孔ビット４と本削孔用リングビット７とには、回転伝達部４ｄ・７ｄと、打撃伝達部４ｅ・７ｅが設けられている。
なお、ケーシングシュー８に対する先行下孔削孔用リングビット６の接続構造も同様である。
【００２０】
図４はセンター削孔ビット４と本削孔用リングビット７とケーシングシュー８を分解して並べたもので、図５はセンター削孔ビット４を側方から見たものである。
【００２１】
図示のように、センター削孔ビット４の外周には、後方寄りに円周方向に沿った突状のフィード伝達部４ｃが形成され、前方寄りに軸線方向に沿った突状の回転伝達部４ｄが形成されて、その回転伝達部４ｄの前側に円周方向に沿った突状の打撃伝達部４ｅが形成されている。
ケーシングシュー８の内周には、円周方向に沿った突状のフィード伝達部８ｃが形成されている。
【００２２】
また、図６は本削孔用リングビット７を下方から見たもので、図示のように、本削孔用リングビット７の外周には、後部に軸線方向に沿った突状の回転伝達部７ｄが形成されて、その回転伝達部７ｄの前側に円周方向に沿った突状の打撃伝達部７ｅが形成されている。
【００２３】
従って、センター削孔ビット４に伝わった給進力と打撃力は打撃伝達部４ｅ・７ｅから本削孔用リングビット７に伝わる。また、回転力は回転伝達部４ｄ・７ｄの側面を通して伝わる。
なお、逆方向に回転すると、センター削孔ビット４の回転伝達部４ｄの側面から本削孔用リングビット７の回転伝達部７ｄが離れ、センター削孔ビット４を引き抜くことが可能となる。
【００２４】
次に、図７（ａ）にセンター削孔ビット４の外観を示し、図７（ｂ）に示すように、先行下孔削孔用リングビット６の中央穴からセンター削孔ビット４が僅かに突出している。
【００２５】
図８（ａ）に先行下孔削孔用リングビット６の正面視を示し、図８（ｂ）に本削孔用リングビット７の正面視を示している。
【００２６】
図９に補強管５に先行下孔削孔用リングビット６を取り付けた状態の外観を示している。
【００２７】
図１０にガイドセル１上の補強管５に本削孔用リングビット７を取り付けた状態の外観を示している。
【００２８】
削孔の実施手順、及び地山補強手順は次のとおりである。 
手順１．ドリルジャンボに削孔ロッド３・センター削孔ビット４・補強管５・先行下孔削孔用リングビット６を設置
手順２．センター削孔ビット４と補強管５先端に取り付けた先行下孔削孔用リングビット６による下孔の削孔（削孔長は、例えば３００ｍｍ程度）
手順３．削孔ロッド３・センター削孔ビット４・補強管５・先行下孔削孔用リングビット６の引抜き（引抜き長は、例えば５００ｍｍ程度）
【００２９】
手順４．補強管５先端の先行下孔削孔用リングビット６を本削孔用リングビット７に交換
手順５．下孔に削孔ロッド３・センター削孔ビット４・補強管５・本削孔用リングビット７を挿入
手順６．センター削孔ビット４と補強管５先端に取り付けた本削孔用リングビット７による本削孔
手順７．所定の削孔長まで削孔ロッド３・補強管５を継ぎ足して本削孔継続
手順８．削孔ロッド３・センター削孔ビット４の引抜き、本削孔用リングビット７の埋殺し
【００３０】
手順９．補強管５と下孔の間をシーリング
手順１０．薬液注入
【００３１】
以上の削孔により、次の効果が得られる。
（１）高剛性の鋼管による補強管５を用いて先行下孔削孔用リングビット６で下孔を削孔するため、図１に示すように、削孔ロッド３の垂れ下がりやしなりの影響がなく、下孔を正確な位置に削孔することができる。 
（２）下孔削孔後、僅かな引抜き（引抜き長、例えば５００ｍｍ程度）で先行下孔削孔用リングビット６と本削孔リングビット７の交換が可能であるため、ドリルジャンボのブームを動かす必要がなく、削孔方向を調整する作業が下孔削孔セット時の１回で済み、作業時間の短縮が可能となる。
これに対し、特許文献１では下孔削孔セット時と補強管削孔セット時の２回の削孔方向の調整作業を要していた。
（３）ドリルジャンボのブームを動かす必要がないため、下孔削孔と本削孔を同一芯により削孔できることから、削孔方向の精度が向上する。
（４）従って、下孔の位置を精度よく削孔でき、補強管５の削孔方向も精度よく削孔でき、作業時間を短縮できる。 
【００３２】
以上、実施形態の地山補強工法における先行下孔削孔方法によれば、補強管５の先端に取り付けた先行下孔削孔用リングビット６を用いて下孔を削孔することで、下孔の位置を精度よく削孔できるとともに、補強管５の削孔方向を精度よく削孔できて、作業時間を短縮することができる。
【００３３】
（変形例）
以上の実施形態の他、ビット形状や寸法は任意であり、具体的な細部手法等についても適宜に変更可能であることは勿論である。
【符号の説明】
【００３４】
１  ガイドセル
２  削孔機
３  削孔ロッド
４  センター削孔ビット
４ｃ  フィード伝達部
４ｄ  回転伝達部
４ｅ  打撃伝達部
５  補強管
５ａ  ネジ
６  先行下孔削孔用リングビット
７  本削孔用リングビット
７ｂ  ネジ
７ｄ  回転伝達部
７ｅ  打撃伝達部
８  ケーシングシュー
８ａ  ネジ
８ｂ  ネジ
８ｃ  フィード伝達部
【図１】
0006682137.tif 000002
【図２】
0006682137.tif 000003
【図３】
0006682137.tif 000004
【図４】
0006682137.tif 000005
【図５】
0006682137.tif 000006
【図６】
0006682137.tif 000007
【図７】
0006682137.tif 000008
【図８】
0006682137.tif 000009
【図９】
0006682137.tif 000010
【図１０】
0006682137.tif 000011